(57)【要約】【課題】本発明は、目視しながら作業ができないなど作業条件の悪い位置に配置されたランプの交換作業を容易にする照明装置を提供する。【解決手段】照明装置１０は、照明ケース１１と点検口１２とランプソケット１４とランプ１５と誘導部材１６とを備える。照明ケース１１は、エレベータの乗籠の天井に配置する。点検口１２は、照明ケース１１の上壁１１１に開口して照明ケース１１の中と昇降路とを連通する。ランプソケット１４は、照明ケース１１の内部に設けられ差込口１４１を対峙させる一対に配置される。ランプ１５は、ランプソケット１４の間に接続される。誘導部材１６は、ランプソケット１４の少なくとも一方に装着されて対峙する他方のランプソケット１４に向かって拡開する錐形状を有し、ランプ１５の電極１５１を差込口１４１に案内する。【選択図】      図２
2007302473.tif 000002
【特許請求の範囲】
【請求項１】
エレベータの昇降路の中を移動する乗籠の天井に配置される照明ケースと、
前記照明ケースの上壁に開口して前記照明ケースの中と前記昇降路とを連通する点検口と、
前記照明ケースの内部に設けられ差込口を対峙させる一対に配置されるランプソケットと、
前記ランプソケットの間に接続されるランプと、
前記ランプソケットの少なくとも一方に装着されて対峙する他方のランプソケットに向かって拡開する錐形状を有し、前記ランプの電極を前記差込口に案内する誘導部材と
を備えることを特徴とする照明装置。
【請求項２】
前記誘導部材は、円錐面に沿って形成され、前記点検口に近い側の一部が水平方向に切欠かれていることを特徴とする請求項１に記載の照明装置。
【請求項３】
前記誘導部材は、多角錐面に沿って形成され、前記点検口に近い側の一部が水平方向に切欠かれていることを特徴とする請求項１に記載の照明装置。
【請求項４】
前記ランプは、前記誘導部材の内面に形成される少なくとも１つの谷部に合致する方位に凸部を有したスライダが、前記電極の近傍に装着されることを特徴とする請求項３に記載の照明装置。
【請求項５】
前記誘導部材は、回転非対称な多角錐面に沿って形成され、前記点検口に近い側の一部が水平方向に切欠かれていることを特徴とする請求項１に記載の照明装置。
【請求項６】
前記ランプは、前記誘導部材の内面に形成される２つ以上の谷部に合致する方位に各々凸部を有したスライダが、前記電極の近傍に装着されることを特徴とする請求項５に記載の照明装置。
【請求項７】
前記スライダは、前記突部が前記谷部に合致する状態で前記電極の形状を前記差込口に一致させる向きに、前記ランプに装着されることを特徴とする請求項６に記載の照明装置。
【請求項８】
前記ランプは、前記誘導部材の下縁から前記照明ケースの下壁までの距離よりも長く、かつ前記下壁から前記差込口までの距離よりも短い支持脚が装着されることを特徴とする請求項１に記載の照明装置。
【請求項９】
前記照明ケースは、前記ランプソケットに装着された状態のランプの下方を横切って配置される支持アームを有することを特徴とする請求項１に記載の照明装置。
【発明の詳細な説明】
【技術分野】
【０００１】
本発明は、エレベータの乗籠の内部を照らすために設けられ、ランプの交換作業を配慮した照明装置に関する。
【背景技術】
【０００２】
エレベータの乗籠は、内部を照らすための照明装置が設けられている。この照明装置は、ランプとして蛍光灯や電球を内部に有しており、照光板を透して直接的にあるいは反射板を介して間接的に、乗籠の内部を照らす。照明装置は、乗籠の天井に配置されることが多い。ランプは、消耗品であるため、点灯しなくなった場合や定期的なメンテナンスの際に交換される。照明装置は、意匠面を重視して作られることにより、または、ランプが乗籠内部に落下しないように構成されることにより、ランプの交換作業を煩わしくさせる場合がある。
【０００３】
主照明ユニットと補助照明ユニットとを乗籠の天井に備えるエレベータが特許文献１に開示されている。主照明ユニットは、天井の中央部に配置され、主照明ユニットの外周と乗籠の側壁との間の天井に補助照明ユニットが配置されている。補助照明ユニットは、照明管灯のソケットが取り付けられた支持金具を有している。支持金具の一方の端部は、天井に設けられたブラケットに枢着されている。
【０００４】
支持金具の他方の端部は、天井に対して取外しできるように、ネジ止めされるか、ロック部材で係合されるか、Ｌ字形の溝で掛止される。照明管灯を交換する場合は、他方の端部を自由にしたのち、一方の端部を支点に支持金具を回動させて、他方の端部を主照明ユニットの透光用化粧板よりも低い位置まで下ろす。
【０００５】
また、エレベータの乗籠に設けられる照明装置として、天井に間接照明装置を設けたエレベータの乗籠が特許文献２に開示されている。この間接照明装置は、乗籠の側壁に対して隙間を空けて天井板と平行に吊るされた吊天井と、この吊天井の上の外周から少し奥まった位置にランプ（光源体）を配置する変位体と、ランプを外周に近づける方向へ変位体を移動させる変位機構とを備えている。ランプを交換する場合、吊天井の外周寄りの乗籠室内から見える位置にランプを変位機構で移動させている。
【特許文献１】特開平７−１１２８８４号公報
【特許文献２】特開２００３−２５６５号公報
【発明の開示】
【発明が解決しようとする課題】
【０００６】
しかしながら、乗籠に設けられる照明装置の全てが特許文献１や特許文献２のように乗籠の内部側からランプに触れることができるとは限らない。つまり、天井が端まで覆われている構造、照光板を乗籠の内部から取り外せない構造、あるいは、照光板を外せても乗籠側からランプを交換できない構造の照明装置を備える乗籠も有る。このような乗籠は、天井裏となる昇降路側からアクセスするためにハッチが設けられており、このハッチから、ランプを交換したり透光板を清掃することとなる。
【０００７】
しかし、乗籠の天井裏は、梁やロープヒッチあるいは籠シーブといったエレベータの構造上、配置を換えることができないものがある。そのため、ハッチを設けることのできる場所が限られてしまう。したがって、ハッチから離れた位置に装着されたランプを交換したり、照明装置の内部を清掃したりする作業は、物理的に可能であっても、手探りの作業には留まらず、目視できたとしても作業員にとって無理な姿勢を強いる場合も生じる。そのため、作業効率が悪く、ランプの交換に多大な手間を要してしまう。
【０００８】
そこで、本発明は、目視しながら作業ができないなど作業条件の悪い位置に配置されたランプの交換作業を容易にする照明装置を提供する。
【課題を解決するための手段】
【０００９】
本発明の照明装置は、照明ケースと点検口とランプソケットとランプと誘導部材とを備える。照明ケースは、エレベータの昇降路の中を移動する乗籠の天井に配置する。点検口は、照明ケースの上壁に開口して照明ケースの中と昇降路とを連通する。ランプソケットは、照明ケースの内部に設けられ差込口を対峙させる一対に配置される。ランプは、ランプソケットの間に接続される。誘導部材は、ランプソケットの少なくとも一方に装着されて対峙する他方のランプソケットに向かって拡開する錐形状を有し、ランプの電極を差込口に案内する。
【００１０】
この場合、誘導部材は、円錐面、または多角錐面に沿って形成し、点検口に近い側の一部を水平方向に切欠く。そして、誘導部材の内面に形成される少なくとも１つの谷部に合致する方位に凸部を有したスライダを、ランプの電極の近傍に装着する。
【００１１】
または、誘導部材は、回転非対称な多角錐面に沿って形成し、点検口に近い側の一部を水平方向に切欠く。誘導部材の内面に形成される２つ以上の谷部に合致する方位に各々凸部を有したスライダを、ランプの電極の近傍に装着する。この場合、スライダは、突部が谷部に合致する状態で電極の形状を差込口に一致させる向きに、ランプに装着する。
【００１２】
また、ランプは、誘導部材の下縁から照明ケースの下壁までの距離よりも長く、かつ下壁から差込口までの距離よりも短い支持脚が装着されることも好ましい。また、ランプソケットに装着された状態のランプの下方を横切って配置される支持アームを照明ケースの内部に設けることも好ましい。
【発明の効果】
【００１３】
本発明に係る照明装置によれば、一対に設けられるランプソケットの少なくとも一方に誘導部材が設けられている。この誘導部材は、装着されたランプソケットから対峙する他方のランプソケットに向かって拡開する錐形状に形成されている。したがって、点検口から手を入れてランプをランプソケットに装着する場合、ランプの電極とランプソケットの差込口とを目視できない状況であっても、おおよその見当で合わせれば電極を差し込むことができる。したがって、乗籠の照明装置のランプを交換する作業を昇降路側に開口する点検口から容易に行うことができる。
【発明を実施するための最良の形態】
【００１４】
本発明に係る第１の実施形態の照明装置１０を備えるエレベータ１について、図１から図４を参照して説明する。エレベータ１は、図１に示すように籠用レール３と乗籠４と錘用レール５と釣合錘６と調速機７とバッファ８とを昇降路２の中に備える。巻上機は、昇降路２の上部に配置されるか、昇降路２の上に作られる機械室に配置される。乗籠４は、籠用レール３に案内され、釣合錘６は、錘用レール５に案内される。
【００１５】
乗籠４と釣合錘６とは、巻上機を介して一続きに設けられるメインロープ９によって、吊り下げられる。メインロープ９は、乗籠４の底部に設けられた籠シーブ４１および釣合錘６の上部に設けられた錘シーブ６１に回し掛けられる。メインロープ９の端部は、籠用レール３や錘用レール５の上端に設けられるロープヒッチに締結される。籠用レール３に向き合わない乗籠４の側部の一方に籠ドア４２が設けられ、目的とするフロアに着床すると開放される。図1に示した乗籠４の籠ドア４２は、開放された状態である。乗籠４の上には、籠用レール３の間に上梁４３が渡されている。
【００１６】
また、乗籠４は、天井に照明装置１０が取り付けられている。照明装置１０は、図２に示すように、照明ケース１１と、点検口１２と、照明器具１３と、ランプソケット１４と、ランプ１５と、誘導部材１６とを備える。照明ケース１１は、図３に示すように乗籠４の上部の外周に設けられた枠４４に固定されている。点検口１２は、照明ケース１１の上壁１１１に開口されている。この点検口１２を通して、照明ケース１１の内部と昇降路２とが連通される。点検口１２は、照明ケース１１の中央部を横切る方向に長い。点検口１２は、蓋１２１で覆われる。
【００１７】
ランプ１５は、直管形の蛍光管であり、一対に設けられたランプソケット１４の間に接続される。ランプソケット１４は、照明器具１３の両端に、差込口１４１を対峙させて取り付けられている。照明器具１３は、点検口１２からやや奥まった位置にこの照明ケース１１の内部から上壁１１１に固定されている。照明器具１３は、図２に示すように点検口１２とほぼ平行に並ぶ向きに、点検口１２を挟んで両側に一対に配置されている。照明ケース１１の下壁１１２には、照明器具１３が延びる方向に沿って複数の窓１１３が設けられている。各々の窓１１３は、この窓１１３の形状に嵌り込む段差を有した透光板１７が落とし込まれている。
【００１８】
誘導部材１６は、各ランプソケット１４に設けられている。誘導部材１６は、取り付けられた側のランプソケット１４からこれと対峙する他方のランプソケット１４に向けて拡開する錐面形状に形成されている。本実施形態では、誘導部材１６は、ランプ１５を中心に照明器具１３と干渉する部分を除く円錐形状に形成されている。また、対峙させて設けられた一方の誘導部材１６は、図２，３，４に示すように、水平方向にランプ１５の端部が通過可能な切欠部１６１を有している。この誘導部材１６は、ランプ１５の発行色に影響を及ぼさないように、無色透明な透光性のプラスチック製のものが好ましい。なお、透光性の部材であればよいので、プラスチック製のものに限定されない。
【００１９】
以上のように構成された照明装置１０において、ランプ１５を交換する作業について説明する。ランプソケット１４に差し込まれているランプ１５は、点検口１２から腕を差し入れて、まず切欠部１６１が誘導部材１６に設けられている側の電極１５１をランプソケット１４から外す。ランプソケット１４が直接目視できない位置にあっても、手探りで誘導部材１６に切欠部１６１があるかどうか判別することができる。ランプ１５のガラス管に沿わせてランプ１５の中程に持ち替えたのち、もう片方の電極１５１をランプソケット１４から外す。
【００２０】
次に、ランプ１５を装着する場合、ランプ１５を点検口１２から差し入れ、ランプソケット１４があるおおよその位置に電極１５１を向けて押し込む。電極１５１は、誘導部材１６によってランプソケット１４の差込口１４１へ案内される。後は、差込口１４１にランプ１５の電極１５１が合うように回せば、ランプソケット１４の差込口１４１が見えなくても正しく接続される。もう片方の電極１５１は、差し込まれた電極１５１を支点に、図２および図３に示す矢印に沿ってランプ１５を回動させ、ランプ１５の端部が当たらないように切欠部１６１を通過させ、誘導部材１６の内側に入れる。ランプソケット１４に内蔵される接点に設けられた弾性により押戻されて、もう片方の電極１５１も差込口１４１に嵌る。
【００２１】
このように、誘導部材１６が設けられていることによって、ランプソケット１４の差込口１４１とランプ１５の電極１５１とが見えない状態でも、容易にランプ１５を装着することができる。したがって、ランプ１５の取替え作業を楽に行うことができる。
【００２２】
本発明に係る他の実施形態について以下に示す。各実施形態において、第１の実施形態の照明装置１０と同じ機能を有する構成要素は、同一の符号を付してその説明を省略する。また、以下の実施形態による照明装置は、図１に示したエレベータ１の乗籠４の天井に配置されるものである。
【００２３】
本発明に係る第２の実施形態の照明装置１０Ａについて、図５および図６を参照して説明する。図５に示すように本実施形態の照明装置１０Ａは、誘導部材１６Ａの形状が第１の実施形態における誘導部材１６の形状と異なる。この誘導部材１６Ａは、多角錐面形状、本実施形態では、図６に示す六角錐面形状に形成されている。誘導部材１６Ａは、輪切りにした断面形状が縦に長い六角形である。
【００２４】
また、図５に示すように、スライダ１８Ａがランプ１５の端部に装着されている。このスライダ１８Ａは、電極１５１がランプソケット１４に差し込まれた状態で、誘導部材１６Ａの内面に形成される谷部１６２に合致する六角形の外形を有している。スライダ１８Ａは、誘導部材１６Ａに合致する状態で、電極１５１がランプソケット１４の差込口１４１に一致するように向きを合わせて取り付けられる。
【００２５】
ランプ１５の電極１５１は、図５に示すように２本のピンを有する、二回対称の回転対称形である。したがって、誘導部材１６Ａが細長い六角錐面形状に形成され、スライダ１８Ａがこの誘導部材１６Ａに合致するように設けられることによって、１８０°回した向きでも合致させることができる。
【００２６】
本発明に係る第３の実施形態の照明装置１０Ｂについて、図７を参照して説明する。この照明装置１０Ｂは、ランプ１５を中心とする回転非対称な断面形状を有する多角形錐面、本実施形態においては上部が山形の五角形に形成された誘導部材１６Ｂと、これに合致するスライダ１８Ｂとを有している。この他の構成は、第１および第２の実施形態のものと同じである。誘導部材１６Ｂが回転非対称な多角形に形成されていることにより、ランプソケット１４の差込口１４１に対してランプ１５の向きを一方向に特定することができる。電極１５１の形状が一方向に決まっているランプにも適用することが可能になる。
【００２７】
本発明に係る第４の実施形態の照明装置１０Ｃについて、図８を参照して説明する。この照明装置１０Ｃは、六角錐面形状の誘導部材１６Ｃに対して合致させるスライダの形状が異なる。誘導部材１６Ｃの形状は、第２の実施形態における誘導部材１６Ａと同じである。スライダ１８Ｃは、ランプ１５を中心にして、誘導部材１６Ｃの内面に形成される谷部１６２に合致する方位に凸部１８１を有している。本実施形態では、図８に示すように凸部１８１は、下方、および斜め上となる２方向、合計３方向に設けられている。
【００２８】
したがって、第２の実施形態の場合と同様に、回転非対称な形状の電極１５１をランプソケット１４の差込口１４１に合わせることが簡単に行える。なお、凸部１８１が設けられる向きは、３方向に限らず、少なくとも下方に１つあればよい。また、電極１５１が差込口１４１に嵌る前から誘導部材１６Ｃに接触する長さおよび可撓性を凸部１８１に持たせることで、ランプ１５をしっかりと固定させることができる。
【００２９】
本発明に係る第５の実施形態の照明装置１０Ｄについて、図９および図１０を参照して説明する。この照明装置１０Ｄは、ランプ１５に支持脚１９を取り付けている点が、第１の実施形態の照明装置１０と異なる。その他の構成は、第１の実施形態の照明装置１０と同じである。支持脚１９は、可撓性の部材で形成され、図１０に示すように水平に配置されるランプ１５のガラス管の上側半周以上に巻きつけられる把持部１９１と、この把持部１９１の両端から下方に向かって末広がりに延びる一対の脚部１９２で構成されている。この支持脚１９は、ランプ１５の電極１５１寄りに１つずつ装着されている。
【００３０】
支持脚１９は、誘導部材１６の下縁１６３から照明ケース１１の下壁１１２までの距離よりも長く、かつ下壁１１２から差込口１４１までの距離よりも短く設定される。したがって、支持脚１９が取り付けられたランプ１５を照明ケース１１の内部に仮置きすると、電極１５１が誘導部材１６の内側に位置決めされる。そして、電極１５１がランプソケット１４の差込口１４１に嵌められた状態で支持脚１９は、照明ケース１１の下壁１１２から浮き上がる。
【００３１】
このように支持脚１９を有することで、照明ケース１１内に持ち込んだランプ１５を下壁１１２に当てて破損させる心配が無い。また、対応する照明器具１３の近傍までランプ１５を送り込む場合、ランプ１５を下壁１１２に仮置きすることができ、また一定の高さでランプ１５を誘導することができるので、作業員が片手で取り扱いやすい。なお、支持脚は１９、ランプ１５を装着したのち取り外して点検口１２から回収しても良い。また、支持脚１９を無色透明な透光性のプラスチックで形成すると影が発生することを防止することができる。
【００３２】
本発明に係る第６の実施形態の照明装置１０Ｅについて、図１１および図１２を参照して説明する。この照明装置１０Ｅは、支持アーム２０を備える点が第１の実施形態の照明装置１０と異なっている。その他の構成は、第１の実施形態の照明装置１０と同じである。図１１および図１２に示すように支持アーム２０の基部２０１は、照明ケース１１の側壁１１４に固定され、先端部２０２が照明器具１３に装着された状態のランプ１５の下方を横切る方向に延びている。なお、基部２０１を照明器具１３に固定して先端部２０２が回り込むようにランプ１５の下方に延びていても良い。
【００３３】
先端部２０２は、図１２に示すようにランプ１５のガラス管よりも大きい円弧に湾曲しており、誘導部材１６の外周よりも点検口１２に近い位置にランプ１５を保持する。したがって、照明ケース１１内に搬入したランプ１５を手放して支持アーム２０に一旦仮置きしたのち、取り扱いやすいようにランプ１５を持ち替えることができる。また、支持アーム２０は、照明器具１３に装着された状態のランプ１５に接触する位置を横切るように形成されている。したがって、図１２に示すように先端部２０２に仮置きしたランプ１５は、支持アーム２０に沿って滑らせるとともに、電極１５１を誘導部材１６に案内させることで簡単にランプソケット１４の差込口１４１に装着することができる。
【００３４】
第５の実施形態における支持脚１９および第６の実施形態における支持アーム２０は、無色透明な透過性を有した帯状のプラスチックで作られる以外に、ランプ１５から放射される光に沿う方向へ拡がる薄いプレートや、線径の細い棒鋼などでこれらが作られていることも好ましい。薄いプレートや細い棒鋼で支持脚１９や支持アーム２０を作ることで、これらによる影が生じにくい。
【００３５】
また、第２から第４の実施形態における誘導部材１６Ａ，１６Ｂ，１６Ｃを第５や第６の実施形態の誘導部材として適用しても良い。さらに、各実施形態において、誘導部材１６，１６Ａ，１６Ｂ，１６Ｃ，１６Ｄ，１６Ｅの一方に設けている切欠部１６１を両方ともの誘導部材に設けても良い。また、いずれの実施形態においても、点検口１２からどちらか一方のランプソケット１４を目視にて嵌合させることができるのであれば、目視できる側のランプソケット１４に誘導部材を取り付けなくても良い。
【００３６】
なお、上述した各実施形態の照明装置１０，１０Ａ，１０Ｂ，１０Ｃ，１０Ｄ，１０Ｅは、昇降路２内における乗籠４と釣合錘６の配置や、メインロープ９の取り回しなど、異なる形式のエレベータにも適用することができる。また、照明ケース１１の外形、照明ケース１１に内蔵される照明器具１３の個数や配置、透光板１７の形状および個数は、各実施形態に示したものに限定されるものではなく、希望される意匠のものに自由に変更されるものである。例えば、照明器具１３の個数は、３つ以上でも良い。また、透光板１７は、一続きに形成されていても良い。
【図面の簡単な説明】
【００３７】
【図１】本発明に係る第１の実施形態の照明装置を備えるエレベータを一部断面にして示す斜視図。
【図２】図１に示した照明装置の一部を示す斜視図。
【図３】図２に示した照明装置をランプの中心線に沿う方向へ見た断面図。
【図４】図３中のＦ４−Ｆ４線に沿う照明装置の断面図。
【図５】本発明に係る第２の実施形態の照明装置を示す斜視図。
【図６】図５に示した誘導部材の谷部とスライダの凸部との関係を示す正面図。
【図７】図５に示した誘導部材に対応する他の形態のスライダを示す平面図。
【図８】本発明に係る第３の実施形態の照明装置における誘導部材の谷部とスライダの凸部との関係を示す正面図。
【図９】本発明に係る第４の実施形態の照明装置を示す斜視図。
【図１０】図９に示した照明装置をランプの中心線に沿う方向へ見た断面図。
【図１１】本発明に係る第５の実施形態の照明装置を示す斜視図。
【図１２】図１１に示した照明装置をランプの中心線に沿う方向へ見た断面図。
【符号の説明】
【００３８】
１…エレベータ、２…昇降路、４…乗籠、１０，１０Ａ，１０Ｂ，１０Ｃ，１０Ｄ，１０Ｅ…照明装置、１１…照明ケース、１２…点検口、１３…照明器具、１４…ランプソケット、１５…ランプ、１６，１６Ａ，１６Ｂ，１６Ｂ…誘導部材、１８Ａ，１８Ｂ，１８Ｃ…スライダ、１９…支持脚、２０…支持アーム、１１１…上壁、１１２…下壁、１４１差込口、１５１…電極、１６１…切欠部、１６２…谷部、１６３…下縁、１８１…凸部。
【図１】
2007302473.tif 000003
【図２】
2007302473.tif 000004
【図３】
2007302473.tif 000005
【図４】
2007302473.tif 000006
【図５】
2007302473.tif 000007
【図６】
2007302473.tif 000008
【図７】
2007302473.tif 000009
【図８】
2007302473.tif 000010
【図９】
2007302473.tif 000011
【図１０】
2007302473.tif 000012
【図１１】
2007302473.tif 000013
【図１２】
2007302473.tif 000014